(57)【特許請求の範囲】
【請求項１】
起立部と床に固定される底部とからなるフレームと、前記起立部に固定されると共に便器の上部が固定されて便器の重さを支える便器取付部材と、便器の下部に当接して便器の水平を調整する支持材とを備える壁掛け式便器取付フレームであって、便器の上部はボルトを介して且つ間隔をおいて便器取付部材に固定され、支持材の長さが可変であることを特徴とする壁掛け式便器取付フレーム。
【請求項２】
便器取付部材が有するナットと当該ナットに係合する回転自在ボルトとからなる高さ調整部を備えることを特徴とする請求項１に記載の壁掛け式便器取付フレーム。
【請求項３】
前記回転自在ボルトが前記フレームの起立部の上端部に取り付けられていることを特徴とする請求項２に記載の壁掛け式便器取付フレーム。
【請求項４】
前記回転自在ボルトの下端部が前記フレームの底部上面部に当接していることを特徴とする請求項２に記載の壁掛け式便器取付フレーム。
【請求項５】
前記支持材が、中央に孔を有する複数の平板と、前記平板中央の穴よりも小さいネジ部と前記平板中央の穴よりも大きい先端部をもつ棒材とからなり、前記棒材を前記平板中央の穴に通して前記便器取付部材に固定することを特徴とする請求項１乃至４の何れか１項に記載の壁掛け式便器取付フレーム。
【請求項６】
前記平板の先端部に前記棒材の先端部を収容可能なテーパ状又は階段状の窪みを設け、前記棒材の先端部が、前記便器に当接する前記平板の先端部より引っ込んでいることを特徴とする請求項５に記載の壁掛け式便器取付フレーム。
【請求項７】
前記便器取付部材が、便器の上部を固定する便器上部固定部材と前記支持材を固定する支持材固定部材の２つの部材からなることを特徴とする請求項１乃至６の何れか１項に記載の壁掛け式便器取付フレーム。
【請求項８】
前記便器上部固定部材と前記支持材固定部材が所定の間隔となるようつなぎ材で固定され、前記つなぎ材と前記便器上部固定部材又は前記支持材固定部材の固定位置を変えることにより、前記便器の上部固定位置と前記支持材の固定位置の間隔を可変とすることを特徴とする請求項７に記載の壁掛け式便器取付フレーム。
【請求項９】
前記支持材固定部材の前記支持材の固定位置が偏芯して設けられ、前記支持材固定部材を上下逆にすることにより前記便器の上部固定位置と前記支持材の固定位置の間隔を可変とすることを特徴とする請求項７に記載の壁掛け式便器取付フレーム。
【発明の詳細な説明】
【０００１】
【発明の属する技術分野】
本発明は、トイレルームに設置される腰掛け式便器に係り、特に便器の高さや水平方向の位置を調節して施工可能な壁掛け式便器ユニットに関する。
【０００２】
【従来の技術】
実公告昭５５−２０８７２にパネルの背面側に床に固定したフレームを臨ませ、このフレームに対してパネル前面側に便器を取付けることが開示されている。
【０００３】
【発明が解決しようとする課題】
しかしながら、これらの便器ユニットは、高さや水平方向の位置の調整機構を持たず、床面や壁面の施工精度が悪い場合には、便器を正規の位置、高さに取り付けることができなかった。
【０００４】
本発明は、上記課題を解決するためになされたもので、本発明の目的は、高さや水平の調整が容易にできる施工性に優れた壁掛け式便器取付フレーを提供することにある。
【０００５】
【課題を解決するための手段】
上記目的を達成するために請求項１の発明は、起立部と床に固定される底部とからなるフレームと、前記起立部に固定されると共に便器の上部が固定されて便器の重さを支える便器取付部材と、便器の下部に当接して便器の水平を調整する支持材とを備える壁掛け式便器取付フレームであって、便器の上部はボルトを介して且つ間隔をおいて便器取付部材に固定され、支持材の長さが可変であることを特徴とする。
ボルトを介して且つ間隔をおいて便器の上部を便器取付部材に固定し、便器の下部に当接して便器の水平を調整する支持材の長さを変えることにより、前記フレームの取付け位置や、便器と前記フレームとの間に入る便器取付け部の壁材の仕上り位置に施工誤差が生じても、前記壁材の仕上り位置に合わせて便器が施工可能な便器ユニットを提供できる。
【０００６】
請求項２の発明は、便器取付部材が有するナットと前記ナットに係合する回転自在ボルトとからなる高さ調整部を備えることを特徴とする。
便器取付部材の高さを調整可能としたので、床の仕上げ厚が変わっても便器の高さを一定に保てる壁掛け式便器取付けフレームが提供できる。
【０００７】
請求項３の発明は、前記回転自在ボルトが前記フレームの起立部の上端部に取り付けられていることを特徴とする。
またこのとき、ナットを前記便器取付け部材に動かないように固定しておけば、ボルトを回す作業が更に容易になる。
【０００８】
請求項４の発明は、前記回転自在ボルトの下端部が前記フレームの底部上面部に当接していることを特徴とする。
本発明では、前記フレームにボルト用の穴を空けなくてすみ、前記フレームの下部上面にボルトを当接させるだけでよいので、構成が単純となる。また、回転自在のボルトの下端部をフレームの下部上面に当接させるので、高さ調整の際に回転自在ボルトを回転させても床を傷つけることがない。
【０００９】
請求項５の発明は、前記支持材が、中央に穴を有する複数の平板と、前記平板中央の穴より小さいネジ部と前記平板中央の穴より大きい先端部を持つ棒材とからなり、前記棒材を前記平板中央の穴に通して前記便器取付け部材に固定することを特徴とする。
複数の平板を組み合せることにより長さを自由に調整でき、また、棒材で平板を挟み込むため、万一施工後に棒材のネジ部が回ってしまって長さが短くなってしまう心配がない。
【００１０】
請求項６の発明は、前記平板の先端部に前記棒材の先端部を収容可能なテーパー状又は階段状の窪みを設け、前記棒材の先端部が、前記壁掛け式便器に当接する平板の先端部より引っ込んでいることを特徴とする。
棒材の先端が、便器に当接する平板より引っ込んでいることにより、便器の荷重を平板で確実に受けることができる。
【００１１】
請求項７の発明は、前記便器取付部材が、前記便器上部固定部材と前記支持材固定部材の２つの部材からなることを特徴とする。
便器取付部材が、便器上部固定部材と支持材固定部材の２つの部材としたので、便器の種類により取付け間隔が変わっても、それぞれの便器に対応できる。
【００１２】
請求項８の発明は、前記便器上部固定部材と前記支持材固定部材が所定の間隔となるようつなぎ材で固定され、前記つなぎ材と前記便器上部固定部材又は前記支持材固定部材の固定位置を変えることにより、前記便器の上部固定位置と前記支持材の固定位置の間隔を可変とすることを特徴とする。
便器の種類に合ったつなぎ材で２つの部材の間隔を固定することにより、作業性がより良くなる。また、前記つなぎ材と前記便器上部固定部材又は前記支持材固定部材の固定位置を変えることにより、１種類のつなぎ材で複数の種類の便器に合わせることができる。
【００１３】
請求項９の発明は、前記支持材固定部材の前記支持材の固定位置が偏芯して設けられ、前記支持材固定部材を上下逆にすることにより前記便器の上部固定位置と前記支持材の固定位置の間隔を可変とすることを特徴とする。
支持材固定部材を上下逆にすることにより、便器の上部固定位置と支持材の固定位置の間隔が長・短の２種となるので、2種類の間隔の便器に合わせることができる。
【００１４】
【発明の実施の形態】
本発明の好適な一実施例を以下に示す。
図１は本発明の便器取付フレームの一実施例を示す。フレーム１は、起立部１ａと底部１ｂとから構成される。ここで、フレーム１は左右に設けられているが一体としてもかまわない。便器取付部材２は、２本の水平部材と水平部材を繋ぐ２本の垂直部材から構成されている。水平部材の内、上の水平部材の上面にナット４ａを有している。ここで、ナット４ａは溶接等により水平部材に固定されている。上の水平部材の下面にナットを設ける場合は、固定してもまた固定しなくともよい。
回転自在ボルト４ｂはヘッド部分を起立部１ａ上端に掛け、ネジ部をナット４ａに係合させている。ナット４ａと回転自在ボルト４ｂとで高さ調整部４を構成している。便器取付部材２は、ナット４ａに係合する回転自在ボルト４ｂにより高さが決められて後に、起立部１ａにボルト等（図示せず）により固定される。便器取付部材２の下の水平部材には、便器下部を支える支持材５を備える。
【００１５】
高さの調整は、回転自在ボルト４ｂを回すことによりできる。本発明では高さ調整のためのボルトを回転自在としたので調整作業が容易である。高さ調整の例を示すと、便器固定ボルト１２に便器３を取付け、当初便器を高めにしておき、回転自在ボルト４ｂを便器３を下げる方向に回す方法が、便器３の重みで下がりやすいので調整がしやすい。また、便器３を取付けなくても、便器取付部材２の高さと便器３の高さの差を予め求めておけば、床からの便器取付部材２の高さを決めることで調整できる。
【００１６】
図２は、フレーム１に便器取付ボルト１２を介して便器３を固定した状態を示す。便器３はフレーム１の前面から間隔を置いて固定される。この間隔には化粧板（図示せず）が入りフレーム１を隠蔽する。間隔が化粧板の厚みより十分広いので、フレーム１を床に固定する際に多少ズレが生じても便器３を化粧板に合わせることができる。便器３の下部は支持材５により支えられる。
【００１７】
図３は、本発明の請求項４の実施例を示す。便器取付部材２下部に取付けられ、フレーム１の底部１ｂ上面に当接させた回転自在ボルト４を回転させ、便器３の高さを調整する。本発明では、高さ調整部をフレーム１の底部１ｂに設けたので、フレーム１自体の高さを低くすることができる。また、回転自在ボルト４ｂの下端部をフレーム１の底部１ｂ上面に当接させるので、高さ調整の際に回転自在ボルト４ｂを回転させても床を傷つけることがない。
【００１８】
図４に便器３の下部の荷重を受ける支持材５の実施例を示す。支持材５は、中央に穴を有する複数の平板６と棒材７とから構成される。棒材７は、平板６の中央の穴より小さいネジ部と平板６の中央の穴より大きい棒材先端部８とからなる。支持材５は、棒材７のネジ部を平板６中央の穴に通して便器取付部材２に固定されている。このため、複数の平板６を組み合せることにより長さを自由に調整できるとともに、棒材７で平板６を挟み込むため、万一施工後に棒材のネジ部が回ってしまって長さが短くなってしまう心配がない。
【００１９】
図５に支持材５の別の実施例を示す。平板６の先端部に棒材７の先端部を収容可能なテーパー状の窪みを設けている。棒材７の棒材先端部８もテーパー状とし、平板６の中央の穴に通して便器取付部材２に固定すると、棒材先端部８の先端部が平板６内に入り、平板６直接便器３に当接するようになる。そのため、便器３の荷重を平板６で確実に受けることができる。
【００２０】
図６に請求項７に記載の発明の実施例を示す。図６において、便器取付部材２は便器上部固定部材９と支持材固定部材１０の２つの部材とした。本発明では、便器自体の高さが異なる様々な便器に対応できる。高さの調整にあたっては、便器上部固定部材９の高さを調整しフレーム１に固定し、次いで便器の高さに合わせて、支持材固定部材１０の位置調整しフレーム１に固定する。
【００２１】
図７に請求項８，９の発明を示す。図７では、便器上部固定部材９と支持材固定部材１０がつなぎ材１１でつないでいる。便器の種類に応じて便器上部固定部材９と支持材固定部材１０の間隔が所定の間隔となるように、つなぎ材１１を変える。また、長いつなぎ材を用意し所定位置に複数の固定穴（図示せず）を設けておくことによって、１種類のつなぎ材１１で複数の種類の壁掛け式大便器に合わせることができる。つなぎ材１１で便器上部固定部材９と支持材固定部材１０をつなぐことによって、高さ調整が一度ですむ。
【００２２】
さらに支持材固定部材１０の支持材５の支持材固定位置１３を偏芯して設けたため、便器上部固定部材９と支持材固定部材１０が１種類のつなぎ材１１で固定される場合であっても、支持材固定部材１０を上下逆にすることにより、高さが異なる２種類の便器に合わせることができる。ここで、図７Ａは支持材固定部材１０を支持材固定位置１３が上になるように取付けた図であり、図７Ｂは支持材固定部材１０を支持材固定位置１３が下になるように取付けた図である。
【００２３】
【発明の効果】
本発明は上記構成により次の効果を発揮する。
フレームと、ナットを有する便器取付部材と、回転自在ボルトと、便器の下部を支える支持材とを有する便器取付フレームに、ナットと回転自在のボルトからなる高さ調整部を備えることとしたので、床の仕上げ厚が変わっても便器の高さを一定に保て、さらに、支持材長さを可変としたので水平方向の調整ができる便器取付フレームが提供できる。
【図面の簡単な説明】
【図１】  本発明の好適な一実施例示す斜視図
【図２】  本発明のフレームに便器を取付け状態を示す図
【図３】  本発明の請求項３に記載の内容を示す図
【図４】  本発明の請求項５に記載の内容を示す図
【図５】  本発明の請求項６に記載の内容を示す図
【図６】  本発明の請求項７に記載の内容を示す図
【図７】  本発明の請求項８，９に記載の内容を示す図
【符号の説明】
１…フレーム、１ａ…起立部、１ｂ…底部、
２…便器取付部材、３…便器、
４…高さ調整部、４ａ…ナット、４ｂ…回転自在ボルト、
５…支持材、６…平板、７…棒材、
８…棒材先端部、９…便器上部固定部材、１０…支持材固定部材、
１１…つなぎ材、１２…便器取付けボルト、１３…支持材固定位置
【図１】
0003882880.tif 000002
【図２】
0003882880.tif 000003
【図３】
0003882880.tif 000004
【図４】
0003882880.tif 000005
【図５】
0003882880.tif 000006
【図６】
0003882880.tif 000007
【図７】
0003882880.tif 000008